(57)【要約】【課題】  この伸縮可能なパラボラアンテナは，メインパネルに対してサブパネルを伸縮自在に構成し，伸び出し時に両者の焦点即ち電波受信点が同一点になるように調整し，両者を安定して固定して焦点のぐらつきを防止する。【解決手段】  このパラボラアンテナは，四角形の反射曲面７を構成するメインパネル１及び移動可能な四角形の反射曲面９を構成するサブパネル２を有する。サブパネル２は，メインパネル１から伸び出す開く状態でメインパネル１の両側部から伸び出し，閉じる状態でメインパネル１の背面８側に引っ込められる。【選択図】図１
2006148274.tif 000002
【特許請求の範囲】
【請求項１】
受信電波を焦点に集中するための複数の反射曲面を持つパラボラアンテナにおいて，
四角形の反射曲面を構成する１枚のメインパネル，及び前記メインパネルの両側で出入移動可能な四角形の反射曲面を構成する少なくとも２枚のサブパネルを有し，前記サブパネルは，前記メインパネルから伸び出して開く状態で前記メインパネルの側部から側方へ伸び出し，閉じる状態で前記メインパネルの背面側に引っ込められることを特徴とする伸縮可能なパラボラアンテナ。
【請求項２】
前記サブパネルが前記メインパネルから予め決められた所定の位置に伸び出した状態では，前記メインパネルの両側に位置する前記サブパネルによる焦点は前記メインパネルの焦点に一致するように前記サブパネルが設定されていることを特徴とする請求項１に記載の伸縮可能なパラボラアンテナ。
【請求項３】
前記サブパネルが前記メインパネルから伸び出す状態では，前記メインパネルの両側に位置する前記サブパネルによる焦点が前記メインパネルの焦点に一致する軌跡を描いて伸び出し，前記サブパネルが適正な所定の位置で前記メインパネルに対して設定されることを特徴とする請求項１に記載の伸縮可能なパラボラアンテナ。
【請求項４】
前記メインパネルの上部と下部には，前記サブパネルの上部と下部に設けたスライダがスライドできるガイドレールが設けられていることを特徴とする請求項１〜３のいずれか１項に記載の伸縮可能なパラボラアンテナ。
【請求項５】
前記メインパネルの前記ガイドレールと前記サブパネルの前記スライダとを，互いに固定するため係止手段を備えていることを特徴とする請求項４に記載の伸縮可能なパラボラアンテナ。
【請求項６】
前記係止手段は，前記メインパネルと前記サブパネルとに形成されたピン穴と，前記ピン穴の整合状態で前記ピン穴に通して前記メインパネルと前記サブパネルとを固定する固定ピンとから構成されていることを特徴とする請求項５に記載の伸縮可能なパラボラアンテナ。
【請求項７】
前記メインパネルに形成された前記ピン穴は少なくとも２個であり，前記サブパネルに形成された前記ピン穴は少なくとも３個以上であることを特徴とする請求項６に記載の伸縮可能なパラボラアンテナ。
【発明の詳細な説明】
【技術分野】
【０００１】
この発明は，受信電波を焦点に集中するための複数の反射曲面を持つパラボラアンテナに関する。
【背景技術】
【０００２】
従来，展開型のパラボラアンテナは知られている。該パラボラアンテナは，格納時及び展開時にロック機構を不要にするものであり，板状の反射面は，回転側反射面と固定側反射面に分割され，分割部にはヒンジがそれぞれの反射面を結合するように構成されている。ヒンジ同士はハンドルがピン結合されており，ロックボルトにより展開時，分割された反射鏡同士が固定される。板状の反射面からロックボルトを外し，ハンドルの操作により格納された後，ロックボルトにより格納時に分割された反射面が固定される（例えば，特許文献１参照）。
【０００３】
また，大口径の展開構造物として，格納性と剛性を有する軽量な展開アンテナが知られている。該展開アンテナは，多角柱の稜に配置される複数本のフレーム，該フレームの端部に取り付けられてフレームを多角柱の底面と交差する方向に開閉するヒンジ，多角柱の対角線に沿って配設される伸縮可能な斜部材，及び多角柱の底面の対角線に張架される対角ケーブルを有する多角柱状フレーム構造体を複数個備え，該構造体はフレームを共有しながら同一平面上に各々の底面を形成するように結合されたものである（例えば，特許文献２参照）。
【特許文献１】特開平７−２４０６２６号公報
【特許文献２】特開平１−２７８６３８号公報
【発明の開示】
【発明が解決しようとする課題】
【０００４】
ところで，パラボラアンテナについては，設置場所の状況，強風が吹くような設置場所，機材の搬送，受信チャンネル等に適合するため，アンテナ受信面積を伸縮して可変に成るように構成することが望まれている。パラボラアンテナに対する課題としては，例えば，次のことが考えられる。
１．狭いアンテナ設置環境において，アンテナ受信面積を有効に利用できるように構成すること。
２．強風に見舞われ易いアンテナ設置場所において，アンテナ本体を適度な広さで設置できるように，また，台風対策として折り畳んでアンテナ受信面積を狭くするか，パネルが収納できるように構成すること。
３．アンテナ設置場所へのアンテナの搬送時等に，搬送を行ない易くするため，アンテナ自体を小さく折り畳むことができるように構成すること。
４．海外衛星放送受信チャンネルの信号の強弱に合わせて，アンテナ受信有効面積を調整できるように構成すること。
【０００５】
従来のパラボラアンテナは，通常，球面を円形で作製するような丸型が大半であり，そのため，例えば，図３に示すように，マンションのフェンス１３を備えたベランダ１２のような場所では，Ａ−１とＡ−２に示すように，丸型パラボラアンテナ１４の受信有効面積は，フェンス１３やベランダ１２の天井等が邪魔になって小さくなるという問題があった。また，丸型パラボラアンテナ１４は，角度や向きによるアンテナ有効面積が少なくなるという問題があり，伸縮可能な構造に構成するには，大形の構造体になり，ベランダ１２のような狭い場所には不向きなものであった。
【０００６】
本発明者は，図３に示すように，マンションのフェンス１３を備えたベランダ１２のような場所では，Ｂ−１やＢ−２に示すように，パラボラアンテナ１１を四角形に構成して縦向きに設置した方が収まりが良く，アンテナ受信面積を有効に利用できることが分かった。しかも，本発明者は，パラボラアンテナ１１を，四角形に構成すると，展開型即ち伸縮構造に形成することが構造上，容易であることが分かった。
【０００７】
この発明の目的は，上記の課題を解決するため，四角形のメインパネルと該メインパネルに対して出入移動する四角形のサブパネルとをスライド方式に伸縮自在に構成し，メインパネルに対するサブパネルのスライドによる伸び出し状態で両者の焦点が同一点になるようにサブパネルを移動設定し，しかも両者を安定して固定して焦点のぐらつき等を防止することができる伸縮可能なパラボラアンテナを提供することである。
【課題を解決するための手段】
【０００８】
この発明は，受信電波を焦点に集中するための複数の反射曲面を持つパラボラアンテナにおいて，
四角形の反射曲面を構成する１個のメインパネル，及び前記メインパネルの両側で移動可能な四角形の反射曲面を構成する少なくとも２個のサブパネルを有し，前記サブパネルは，前記メインパネルから伸び出して開く状態で前記メインパネルの側部から側方へ伸び出し，閉じる状態で前記メインパネルの裏面即ち背面側に引っ込められることを特徴とする伸縮可能なパラボラアンテナに関する。
【０００９】
このパラボラアンテナは，前記サブパネルが前記メインパネルから予め決められた所定の位置に伸び出した状態では，前記メインパネルの両側に位置する前記サブパネルによる焦点は前記メインパネルの焦点に一致するように前記サブパネルが設定されるものである。
【００１０】
また，このパラボラアンテナは，前記サブパネルが前記メインパネルから伸び出す状態では，前記メインパネルの両側に位置する前記サブパネルによる焦点が前記メインパネルの焦点に一致する軌跡を描いて伸び出し，前記サブパネルが適正な所定の位置で前記メインパネルに対して固定されるものである。
【００１１】
このパラボラアンテナは，前記メインパネルの上部と下部には，前記サブパネルの上部と下部に設けたスライダがスライドできるガイドレールが設けられている。
【００１２】
また，このパラボラアンテナは，前記メインパネルの前記ガイドレールと前記サブパネルの前記スライダとを，互いに固定するため係止手段を備えている。
【００１３】
更に，前記係止手段は，前記メインパネルと前記サブパネルとに形成されたピン穴と，前記ピン穴を整合させた状態で前記ピン穴に通して前記メインパネルと前記サブパネルとを固定する固定ピンとから構成されている。具体的には，前記係止手段は，前記メインパネルに形成された前記ピン穴が少なくとも２個であり，前記サブパネルに形成された前記ピン穴が少なくとも３個以上であるものである。
【発明の効果】
【００１４】
この伸縮可能なパラボラアンテナは，上記のように構成されているので，メインパネルとサブパネルとが，どの角度であっても，どの向きであっても，パネルの１００％の面積を受信有効面積として利用でき，アンテナの受信有効面積を最大限に発揮させることができると共に，サブパネルをメインパネルの背面側に引っ込めて外形を収縮させ，アンテナ自体をコンパクトな形状に調整できる。例えば，パラボラアンテナをマンションのベランダ等の狭い場所に設置する場合に，ベランダの使用スペースに対してアンテナ自体が邪魔にならない状態でベランダ等のスペースにパラボラアンテナを容易に設置することができる。また，強風に見舞われ易いアンテナ設置環境において，台風等の強風が吹く時には，サブパネルをメインパネルの裏面即ち背面側に引っ込めて収縮させ，パネル自体の総面積を小さくして風の影響を最小限にし，パネルの適正な受信面積広さを確保するように調整することができ，或いは，アンテナ自体を小形にして搬送し易くして収納することもできる。
【００１５】
また，パラボラアンテナを設置場所へ搬送する場合，或いはパラボラアンテナを移設する場合に，パラボラアンテナをメインパネルにサブパネルを重ねて折り畳んで収縮させて小さくすれば，搬送が極めて容易になり，搬送等に対応し易くなる。また，海外衛星放送では，受信したいチャンネルによって信号の強さが変わるが，そのような弱い信号のチャンネルの場合には，このパラボラアンテナでは，サブパネルをメインパネルから最大に展開させてアンテナ受信面積を大きくすることができ，弱い信号でも受信可能になる。また，このパラボラアンテナは，信号が強いチャンネルの場合には，サブパネルをメインパネルへ引っ込めてアンテナ受信面積を小さくしても十分に受信可能であり，上記のように，パネルの有効受信面積を信号の強弱によって容易に簡単に調整することができる。
【発明を実施するための最良の形態】
【００１６】
以下，図面を参照して，この発明による伸縮可能なパラボラアンテナの実施例を説明する。このパラボラアンテナは，受信電波を焦点に集中するための複数の反射曲面を持つパラボラアンテナにおいて，特に，図２に示すように，１枚の四角形のメインパネル１と，メインパネル１に対してスライド式に設けられた少なくとも２個又は複数個の四角形のサブパネル２とから構成され，搬送，強風，信号の強弱等に応じてサブパネル２をメインパネル１に対してスライドさせてアンテナ受信有効面積を調節できることを特徴とするものである。
【００１７】
このパラボラアンテナは，四角形の反射曲面７を構成する１枚のメインパネル１，及びメインパネル１に対して移動可能な四角形の反射曲面９を構成する少なくとも２枚のサブパネル２を有している。サブパネル２は，図１の（Ｂ）に示すように，メインパネル１から伸び出して開く状態でメインパネル１の側部から側方へ伸び出してアンテナ受信面積が大きく形成され，また，図１の（Ａ）に示すように，メインパネル１の裏面即ち背面８側に引っ込めて閉じる状態にし，アンテナ受信面積を小さく形成することができる。メインパネル１の表側が曲面を形成する中央の反射曲面７を構成し，また，サブパネル２の表側が曲面を形成する反射曲面９を構成している。また，サブパネル２は，メインパネル１の背面８側に摺動して引っ込められるように構成されている。また，サブパネル２は，メインパネル１の背面８側に引っ込め即ち収容された状態では，メインパネル１の背面８とサブパネル２の表側の反射曲面９との間には，反射曲面７，９が曲面であるので，中央側が側部側より大きな隙間Ｓが形成されるように，サブパネル２はメインパネル１に対して摺動する状態になっている。
【００１８】
このパラボラアンテナは，特に，サブパネル２がメインパネル１から伸び出した状態では，サブパネル２の焦点Ｆ’はメインパネル１の焦点Ｆに一致する位置に，サブパネル２がメインパネル１に対してセットされるものである。このパラボラアンテナは，メインパネル１の上部と下部には，サブパネル２の上部と下部に設けたスライダ４がスライドできるガイドレール３が設けられている。メインパネル１のガイドレール３とサブパネル３２のスライダ４との間に，ボールやローラ等の転動体（図示せず）を介在させてスムーズにスライドできるように構成することもできる。
【００１９】
或いは，このパラボラアンテナは，サブパネル２がメインパネル１から伸び出す状態では，メインパネル１の両側に位置するサブパネル２による焦点Ｆ’がメインパネル１の焦点Ｆに一致する軌跡を描いて伸び出し，サブパネル２は適正な所定の位置でメインパネル１に対して固定されるように構成することもできる。この場合には，メインパネル１に対してサブパネル２をいずれの位置でも固定できる構造に形成しておけば良いものであり，パラボラアンテナの受信面積を適正に調節することができる。即ち，このパラボラアンテナは，サブパネル２がメインパネル１の側面から側方に伸び出した状態で，全体的に同一点で焦点Ｆを結ぶように，サブパネル２の反射曲面を形成すればよく，サブパネル２がメインパネル１より焦点までの距離が長くなる分だけ曲面を補整すればよいものである。
【００２０】
このパラボラアンテナは，メインパネル１に対してサブパネル２をスムーズに摺動させるため，メインパネル１にガイドレール３を設け，サブパネル２にガイドレール３を摺動移動するスライダ４を設けたものであり，ガイドレール３に対してスライダ４を固定するため，係止手段が設けられている。係止手段は，種々の固着具を使用できるが，この実施例では，図７の（Ａ）に示すように，メインパネル１に形成したピン穴１６，１７（総称は５），図７の（Ｂ）及び（Ｃ）に示すように，サブパネル２に形成したピン穴１８，１９，２０（総称は６），及びピン穴５とピン穴６とを互いに整合させた状態で互いに係止するための固定ピン１５から構成されている。この実施例では，メインパネル１に形成されたピン穴５は２個であり，また，サブパネル２に形成されたピン穴６は３個であるが，これらのピン穴５，６はパラボラアンテナの大きさ等を考慮して設ければよいものであり，メインパネル１とサブパネル２とに形成されるピン穴５，６の個数が限定されるものではない。
【００２１】
また，このパラボラアンテナでは，メインパネル１とサブパネル２とのサイズについては，その適用場所に応じて最適のサイズに形成すればよい。図では，１枚のメインパネル１のサイズは，２枚分のサブパネル２のサイズより大きくなる形状に形成されているが，例えば，メインパネル１のサイズと２枚分のサブパネル２のサイズとを同程度に形成すれば，サブパネル２をメインパネル１の裏面即ち背面８側に引っ込め即ち収容した場合には，サブパネル２はメインパネル１の背面８側に完全に重なり，より一層小さく折り畳むことができ，パラボラアンテナの外面は，メインパネル１の反射曲面７とサブパネル２の裏面即ち背面１０が露出する状態にコンパクトになる。また，サブパネル２は，メインパネル１の両側に１枚ずつの２枚構成にしたが，例えば，両側に２枚ずつの４枚構成に形成し，３重の構造に構成することも可能である。この場合には，４枚のサブパネル２の曲面は，２枚ずつ異なる曲面にそれぞれ形成されることは勿論である。
【００２２】
ところで，このパラボラアンテナは，メインパネル１に対してサブパネル２がスライド式に構成されているので，アンテナ受信面積の伸縮性を達成するため，メインパネル１と移動可能なサブパネル２とによって構成しているが，アンテナ受信点への電波の集束性の問題が発生する。即ち，この問題の発生要因の１つは，このパラボラアンテナは，サブパネル２がメインパネル１の背面８側に収納される構造に構成されているため，メインパネル１とサブパネル２との設定距離が異なってくるので，メインパネル１とサブパネル２とのアンテナ受信点との距離に差が生じるため，上記問題が発生する。そこで，スライド式のアンテナのシステムを有効な構造に構成するため，メインパネル１とサブパネル２との反射曲面を異ならせ，両者が同一点に焦点Ｆを結ぶように調整する。即ち，このパラボラアンテナは，メインパネル１とサブパネル２とのアンテナ受信点との距離の差があってもアンテナ受信点への電波を同一点の焦点Ｆに有効に集束できるように構成されている。
【００２３】
図４に示すように，パラボラアンテナでは，アンテナパネルに受けた電波は，アンテナ受信点に有効に集束させなければならない。このパラボラアンテナは，メインパネル１に対してサブパネル２をメインパネル１の背面８側へスライドさせる構成を成立させるため，メインパネル１とサブパネル２とのアンテナ受信点との距離に差異が生じているので，即ち，メインパネル１とサブパネル２との焦点Ｆからの距離が違うため，メインパネル１とサブパネル２との反射曲面を同一曲面関数に構成したのでは，焦点が異なって有効に電波を一点に集束できない。そこで，このパラボラアンテナは，図５に示すように，メインパネル１とサブパネル２との曲面関数を，距離の差に対応してそれぞれ算出し，メインパネル１とサブパネル２とを個別の反射曲面に形成し，サブパネル２がメインパネル１から伸び出す状態では，サブパネル２の焦点Ｆ’はメインパネル１の焦点Ｆに一致するようにサブパネル２の位置と曲面形状を設定するように構成する。
【００２４】
メインパネル１とサブパネル２とは，相対的に互いにスライドさせ，サブパネル２をメインパネル１の背面８側に収納する構造に構成されているため，図４に示すように，両者を同一曲面に形成したのでは，サブパネル２の電波集束部である焦点Ｆ’とメインパネル１の電波集束部である焦点Ｆとの位置に差が生じることになる。即ち，図４に示すように，メインパネル１とサブパネル２がアンテナ受信点即ち焦点Ｆとの距離に差が生じるため，メインパネル１とサブパネル２との曲面関数を同じにすると，サブパネル２が集束する電波は，その差の分だけずれたＦ’に集束することになる。このパラボラアンテナは，これを解決するため，図５及び図６に示すように，サブパネル２の曲面関数をメインパネル１の焦点Ｆに集束する曲面関数に設定されている。即ち，図６では，サブパネル２の曲面が全体的に示されているが，サブパネル２を作製するには，焦点がＦの点で集束する部分，即ち両側部を切り取って，サブパネル２を一対作製すればよい。
数式は，図６に示すようになっている。
ｆ＝Ｄ2 ／（１６×ｄ）
但し，ｆ：焦点距離，Ｄ：アンテナ口径，ｄ：アンテナ深さ
【００２５】
このパラボラアンテナは，アンテナ受信点への集束について，距離の精度を確保して，サブパネル２をメインパネル１に対して摺動させてアンテナ受信面積の伸縮性を成立させるため，図５に示すように，メインパネル１から伸び出したサブパネル２の焦点Ｆ’を，パネル中央に位置するメインパネル１の焦点Ｆに重ならせるように，サブパネル２によって集束させる曲面即ち反射曲面９をメインパネル１の曲面即ち反射曲面７と異ならせて形成し，それによって，受信点への電波の集束性の確保の問題が解決する。問題の発生要因のもう１つは，サブパネル２の傾きの問題である。言い換えると，サブパネル２をメインパネル１に対してスライドさせて展開させた時，サブパネル２とアンテナ受信点との距離の精度の問題である。この問題を解決しなければ，このパラボラアンテナのシステム構成の有効性を確保できない。このパラボラアンテナは，サブパネル２の傾きをなくす構成にして，アンテナ受信点への電波を有効に集束できるようにした。
【００２６】
図７に示すように，メインパネル１とサブパネル２とのスライド部分には，クリアランスＳが存在しているので，スライドさせただけでは，小さな隙間Ｓの分だけ動くことになる。その時，スライド部分がサブパネル２を支える長さはサブパネル全長の数分の１であるから，支える部分から離れた部分の動きは拡大され，アンテナ受信点との距離の精度が損なわれる。サブパネル２がメインパネル１に対して傾いたことによって，電波はサブパネル２の反射曲面９によって違った方向に向かって反射され，アンテナ受信点とは違った方向に行ってしまう。この問題を解決するため，このパラボラアンテナは，図７に示すように，サブパネル２の閉状態から全開状態にスライドする過程において，数カ所で固定ピン１５によってメインパネル１に対してサブパネル２を固定即ち止める構成を採用している。
【００２７】
このパラボラアンテナは，図７の（Ｃ）の上側に示すように，サブパネル２をメインパネル１に対して一段階拡げる場合には，ピン穴１６とピン穴１８，及びピン穴１７とピン穴１９の位置を合わせて，ピン穴１６と１８，及び１７と１９とに固定ピン１５を差し込むことによってメインパネル１にサブパネル２を固定する。これによりメインパネル１に設けたガイド即ちガイドレール３と，サブパネル２に設けたガイド即ちスライダ４とは傾きを生じることなく互いに固定される。
【００２８】
このパラボラアンテナでは，アンテナ受信点Ｆとメインパネル１に設けたガイドレール３は，一般に設置土台に固着されるため，相互関係の誤差は生じない。メインパネル１に設けたガイドレール３と，サブパネル２に設けたスライダ４とは，傾きを生じることなく互いに固定されるので，メインパネル１が電波を集束するアンテナ受信点Ｆとサブパネル２が電波を集束するアンテナ受信点Ｆ’とは同一点になり，メインパネル１とサブパネル２との相互関係を高精度に電波集束することができる。
【産業上の利用可能性】
【００２９】
この発明による伸縮可能なパラボラアンテナは，例えば，家庭用，業務用等の小形のアンテナとして適用して好ましいものである。
【図面の簡単な説明】
【００３０】
【図１】この発明による伸縮可能なパラボラアンテナの原理を示す概略図である。
【図２】図１のパラボラアンテナの一実施例を示す斜視図である。
【図３】丸型パラボラアンテナと四角形パラボラアンテナとのバルコニへの適用状態を示す説明図である。
【図４】パラボラアンテナについて，メインパネルとサブパネルとのアンテナ受信点との距離に差異が生じることを示す説明図である。
【図５】パラボラアンテナについて，メインパネルとサブパネルとのアンテナ受信点との距離に差異が生じない状態を示す説明図である。
【図６】パラボラアンテナについて，サブパネルのアンテナ受信点をメインパネルのアンテナ受信点に一致させるためのサブパネルの曲面関数の設定の原理を示す説明図である。
【図７】メインパネルとサブパネルとの係止状態を説明するための概略図である。
【符号の説明】
【００３１】
１    メインパネル
２    サブパネル
３    ガイドレール
４    スライダ
５，６    ピン穴
７，９    反射曲面
８    背面
１５  固定ピン
【図１】
2006148274.tif 000003
【図２】
2006148274.tif 000004
【図３】
2006148274.tif 000005
【図４】
2006148274.tif 000006
【図５】
2006148274.tif 000007
【図６】
2006148274.tif 000008
【図７】
2006148274.tif 000009